(57)【特許請求の範囲】
【請求項１】
左右支柱(3)およびこれらの間に渡し止められた少なくとも１つの踏桟(4)よりなり下広がり状態で対向する前後一対の脚(1)(2)と、前後脚(1)(2)の上端部間に渡されて前後端部が前後脚(1)(2)の上端部に回動可能に支持された逆Ｖ字状に二つ折り可能な天板(5)と、各脚(1)(2)の上端部に設けられて天板(5)の前後端部を受ける前後天板受け桟(6)と、左右支柱(3)の上端部と天板(5)の前後端部とを互いに回動自在に連結する連結金具(7)と、前後脚(1)(2)間にＸ字状に渡されて、作業台使用時における前後脚(1)(2)の開き止めを行うとともに、天板(5)を逆Ｖ字状に二つ折りにした際に前後脚(1)(2)同士を互いに近づけるように動く一対の斜め部材(8)とを備えており、各斜め部材(8)は、Ｖ字状に二つ折り可能に連結された長尺部(21)および短尺部(22)よりなり、その上下端部が対応する前後脚(1)(2)にそれぞれ回動可能に支持されるとともに、各斜め部材(8)の長尺部(21)同士が互いに回動可能に連結されており、斜め部材(8)の上端部と天板受け桟(6)との連結中心をＡおよびＣ、斜め部材(8)の下端部と踏桟(4)との連結中心をＢおよびＤ、斜め部材の長尺部(21)と短尺部(22)との連結中心をＥおよびＦとして、折り畳み初期において、斜め部材(8)の長尺部(21)同士の連結中心を基準として、ＡおよびＣは、互いに近づきかつ上方に移動し、ＢおよびＤは、互いに離れかつ上方に移動し、ＥおよびＦは、互いに近づきかつ下方に移動するようになされている作業台。
【請求項２】
天板(5)の前後端部の輪郭形状が左右方向から見て凸円弧形とされるとともに、天板受け桟(6)の上面(6a)が左右方向から見て凹円弧状に形成されており、折畳み時に天板(5)の前後端部が天板受け桟(6)に案内されるようになされている請求項１の作業台。
【請求項３】
連結金具(7)は、支柱(3)の上端部に固定された支柱への取付部(61)と、支柱への取付部(61)に連なり支柱(3)の上端面を覆うカバー部(62)と、カバー部(62)に連なり天板(5)の左右側部に回動可能に取り付けられている天板への取付部(63)とを備えている請求項１または２の作業台。
【請求項４】
天板受け桟(6)および所定の踏桟(4)に、折畳み終了時に前後に対応するもの同士が係合する収納金具(9)がそれぞれ設けられている請求項１〜３の作業台。
【発明の詳細な説明】
【０００１】
【発明の属する技術分野】
この発明は、折り畳み可能な作業台に関する。
【０００２】
【従来の技術】
折り畳み可能な作業用の台としては、脚立が一般的である。
【０００３】
【発明が解決しようとする課題】
従来の脚立は、折畳みが容易であるという利便性は有しているものの、作業スペースが少ないおよび天板上での作業が禁止されているなどの問題があり、その改良が要望されている。
【０００４】
この発明の目的は、折畳みが容易でしかも作業性および安全性にも優れている作業台を提供することにある。
【０００５】
【課題を解決するための手段および発明の効果】
この発明による作業台は、左右支柱およびこれらの間に渡し止められた少なくとも１つの踏桟よりなり下広がり状態で対向する前後一対の脚と、前後脚の上端部間に渡されて前後端部が前後脚の上端部に回動可能に支持された逆Ｖ字状に二つ折り可能な天板と、各脚の上端部に設けられて天板の前後端部を受ける前後天板受け桟と、左右支柱の上端部と天板の前後端部とを互いに回動自在に連結する連結金具と、前後脚間にＸ字状に渡されて、作業台使用時における前後脚の開き止めを行うとともに、天板を逆Ｖ字状に二つ折りにした際に前後脚同士を互いに近づけるように動く一対の斜め部材とを備えており、各斜め部材は、Ｖ字状に二つ折り可能に連結された長尺部および短尺部よりなり、その上下端部が対応する前後脚にそれぞれ回動可能に支持されるとともに、各斜め部材の長尺部同士が互いに回動可能に連結されており、斜め部材の上端部と天板受け桟との連結中心をＡおよびＣ、斜め部材の下端部と踏桟との連結中心をＢおよびＤ、斜め部材の長尺部と短尺部との連結中心をＥおよびＦとして、折り畳み初期において、斜め部材の長尺部同士の連結中心を基準として、ＡおよびＣは、互いに近づきかつ上方に移動し、ＢおよびＤは、互いに離れかつ上方に移動し、ＥおよびＦは、互いに近づきかつ下方に移動するようになされているものである。
【０００６】
この発明の作業台によると、天板上に広い作業場所が確保されるとともに、前後脚連結手段によって前後脚に対する天板の回動が阻止される。そして、作業終了後に天板を逆Ｖ字状に二つ折りにすることにより、各斜め部材が前後脚同士を互いに近づけるように動き、作業台全体がコンパクトに折り畳まれる。
【０００７】
各斜め部材の上端部回動中心から連結部中心までの距離と下端部回動中心から連結部中心までの距離との差は、一方の斜め部材の上端部回動中心から他方の斜め部材の下端部回動中心までの距離に実質的に等しくなされる。このようにすると、作業終了後に天板を二つ折りにすると、これに伴って、各斜め部材の下端部が前後脚の踏桟に対し、同上端部が天板受け桟に対しそれぞれ回動するとともに、各斜め部材の短尺部が長尺部に対して回動し、作業台全体がコンパクトに折り畳まれる。
【０００８】
ここで、「各斜め部材の上端部回動中心から連結部中心までの距離と下端部回動中心から連結部中心までの距離との差が、一方の斜め部材の上端部回動中心から他方の斜め部材の下端部回動中心までの距離に等しい。」とは、図２において、ＡＢ＝ＣＥ−ＢＥおよびＣＤ＝ＡＦ−ＤＦが成り立つことを意味する。そして、「実質的に」とは、図３において、折畳み時中心面からの点Ａ，Ｂ，Ｃ，Ｄ，Ｅ，Ｆの距離が同じでないことを考慮して、各線分の折畳み時中心面に沿った距離が等しくなるように、それぞれの線分の長さが微調整されることを意味している。
【０００９】
なお、この明細書において、「＝」は、「実質的に等しい」場合についても使用するものとする。
【００１０】
また、この明細書において、「Ｖ字状に二つ折り可能」は、中間部分でＶ字状に二つに折れることが可能でかつ逆Ｖ字状には二つに折ることができないことを意味し、「逆Ｖ字状に二つ折り可能」は、中間部分で逆Ｖ字状に二つに折れることが可能でかつＶ字状には二つに折ることができないことを意味する。これらの語は、水平な部材に対してだけでなく、斜め部材に対しても使用され、二つに折れる部分が上方（真上または斜め上）に移動する場合に、「逆Ｖ字状に二つ折り」といい、下方（真下または斜め下）に移動する場合に、「Ｖ字状に二つ折り」という。Ｖ字状に二つ折り可能な部材は、例えば、２つの部材を突き合わせてこれらを突き合わせ部の上縁において互いに回動可能なように連結することにより得ることができ、逆Ｖ字状に二つ折り可能な部材は、例えば、２つの部材を突き合わせてこれらを突き合わせ部の下縁において互いに回動可能なように連結することにより得ることができる。
【００１１】
この発明の作業台において、天板の前後端部の輪郭形状が左右方向から見て凸円弧形とされるとともに、天板受け桟の上面が左右方向から見て凹円弧状に形成されており、折畳み時に天板の前後端部が天板受け桟に案内されるようになされていることがある。このようにすると、天板にかかる荷重が天板受け桟によって支持されるとともに、折畳みがスムーズに行え、しかも、作業台開閉時の手ばさみが防止される。
【００１２】
また、連結金具は、支柱の上端部に固定された支柱への取付部と、支柱への取付部に連なり支柱の上端面を覆うカバー部と、カバー部に連なり天板の左右側部に回動可能に取り付けられている天板への取付部とよりなることがある。このようにすると、連結金具によって、支柱の上端面がカバーされ、支柱上端部を覆うカバーが不要となり、部品数を減少することができる。
【００１３】
さらにまた、天板受け桟および所定の踏桟に、折畳み終了時に前後に対応するもの同士が係合する収納金具がそれぞれ設けられていることがある。収納金具は、種々の構成が可能であるが、例えば、開口を前後方向外向きに向けた略コ字状でかつその底壁の上縁および下縁に水平突出状の係合爪が設けられており、作業台を折り畳んだ状態で係合爪同士が摺り合わせ状に交差するものとされる。これにより、折畳み状態で各脚同士が左右方向に動いてがたつくこと（横ずれ現象）が防止され、運搬・保管を容易に行うことができる。また、収納金具は、折畳み時に支柱同士がちょうど平行になるように形成され、これにより、多数の作業台を横にして重ねても崩れることがない。
【００１４】
【発明の実施の形態】
この発明の実施の形態を、以下図面を参照して説明する。
【００１５】
この明細書において、前後については、図２の右を前、左を後というものとし、左右は、後方に向かっていうものとする。
【００１６】
図１から図１２までは、この発明の第１実施形態を示している。
【００１７】
この発明による作業台は、左右支柱(3)および支柱(3)間に渡し止められた４段の踏桟(4)よりなる前後一対の脚(1)(2)と、逆Ｖ字状に二つ折り可能な天板(5)と、各脚(1)(2)の上端部に設けられて天板(5)の前後端部を受ける前後天板受け桟(6)と、左右支柱(3)の上端部と天板(5)の前後端部とを互いに回動可能に連結する連結金具(7)と、前脚(1)の踏桟(4)と後天板受け桟(6)との間および後脚(2)の踏桟(4)と前天板受け桟(6)との間にそれぞれ斜めに渡された斜め部材(8)と、天板受け桟(6)および所定の（この例では最下段の）踏桟(4)にそれぞれ設けられた収納金具(9)とを備えており、図２に示す使用状態から図３に示す収納状態に折り畳むことができるようになされている。
【００１８】
各支柱(3)および踏桟(4)は、いずれもアルミニウム押出型材製である。各支柱(3)は、横断面コ字形に形成されて、開口を内に向けられている。各踏桟(4)は、横断面略台形に形成されており、その上壁（大きい図だけで説明）が、内方に張り出されている。前後脚(1)(2)は、それぞれ若干下広がりとされており、各支柱(3)と地面とのなす角は、８３°程度とされている。
【００１９】
天板(5)は、図４から図７までに詳しく示すように、前後一対の足場板(11)(12)と、前足場板(11)の連結側端部（後端部）および後足場板(12)の連結側端部（前端部）にそれぞれ固定された固定金具(13)(14)と、固定金具(13)(14)同士を相対的に回動可能に連結する可動金具(15)と、前足場板(11)の前端部および後足場板(12)の後端部に固定された前後のカバー部(16)と、可動金具(15)の左右端部を覆うようにタッピンねじ(18)によって固定金具(13)(14)に取り付けられた左右のカバー部(17)とよりなる。
【００２０】
前後足場板(11)(12)は、押出方向が前後方向のアルミニウム押出型材とされており、固定金具(13)(14)、可動金具(15)および前後カバー部(16)は、押出方向が左右方向のアルミニウム押出型材とされている。
【００２１】
前後足場板(11)(12)は、踏面部となる上壁、内方突出縁付きの左右壁および中間補強壁よりなる。
【００２２】
各固定金具(13)(14)は、横断面略コ字状に形成されており、前後足場板(11)(12)の連結端部側の開口を塞ぐとともに、可動金具(15)と組み合わされて天板(5)を二つ折りするためのヒンジ手段を構成する機能を併せ持っている。
【００２３】
図４および図５に詳しく示すように、前足場板(11)に固定された固定金具(13)の下壁部には、後方に開口した凹溝(32)を有する前足場板側ヒンジ構成部(31)が、後足場板(12)に固定された固定金具(14)の下壁部には、前方に開口した凹溝(34)を有する後足場板側ヒンジ構成部(33)がそれぞれ設けられている。可動金具(15)は、前足場板側ヒンジ構成部(31)の凹溝(32)内に回動可能に嵌め入れられている前側ヒンジ構成部(35)と、後足場板側ヒンジ構成部(33)の凹溝(34)内に回動可能嵌め入れられている後側ヒンジ構成部(36)とを有している。
【００２４】
前足場板側ヒンジ構成部(31)の凹溝(32)の下壁部は、平坦であり、その後縁部には、上方にのびる係合部(37)が設けられている。同様に、後足場板側ヒンジ構成部(33)の凹溝(34)の下壁部は、平坦であり、その前縁部には、上方にのびる係合部(38)が設けられている。前足場板側ヒンジ構成部(31)の凹溝(32)内には、その上壁部の中程から下壁部の前縁に至る４分の１円の大きさの横断面円弧状案内面が設けられ、後足場板側ヒンジ構成部(33)の凹溝(34)内には、その上壁部の中程から下壁部の後縁に至る４分の１円の大きさの横断面円弧状案内面が設けられている。可動金具(15)の前側ヒンジ構成部(35)は、対応する凹溝(32)の円弧状案内面に沿う外周面を有する横断面略円弧状の屈曲部(39)と、これの下縁部に連なる後向き折返し状係合部(40)とよりなり、可動金具(15)の後側ヒンジ構成部(36)は、対応する凹溝(34)の円弧状案内面に沿う外周面を有する横断面略円弧状の屈曲部(41)と、これの下縁部に連なる前向き折返し状係合部(42)とよりなる。各折返し状係合部(40)(42)の先端部は、２分の１円の大きさの横断面円弧状とされており、この先端部が当接している凹溝の係合部(37)(38)の基部には、横断面円弧状の案内面が設けられている。
【００２５】
なお、各固定金具(13)(14)には、可動金具(15)の左右方向への抜けを防止している左右カバー部(17)をタッピンねじ(18)で取り付けるための横断面Ｃ字状のタッピンねじ挿通部(43)(44)が形成されている。
【００２６】
天板受け桟(6)は、アルミニウム押出型材製で、横断面略方形状とされている。天板受け桟(6)は、踏桟(4)と同様に左右支柱(3)間に渡し止められているが、その断面形状は踏桟(4)とは異なっている。すなわち、天板受け桟(6)の上壁は、図６に示すように、横断面凹の円弧状上面(6a)を有するように形成されている。この形状は、折畳み時に天板(5)の前後端部を案内するためのものであり、これに対応して、天板(5)の前後端部すなわち天板(5)の前後カバー部(16)が次のように形成されている。
【００２７】
天板(5)のカバー部(16)は、前後で同一の形状であるので、前カバー部(16)について、図６および図７を参照して説明する。
【００２８】
天板(5)の前カバー部(16)は、前足場板(11)の上壁の端部から同下壁の端部近くに至る横断面半円形に形成された摺動壁(51)と、摺動壁(51)の上端に連なりかつ前足場板(11)の上壁に沿ってのびる上リベット止め壁(52)と、摺動壁(51)の下端に連なりかつ前足場板(11)の下壁に沿ってのびる下リベット止め壁(53)と、摺動壁(51)の上端に連なって下方にのび前足場板(11)の端部開口を塞いでいる閉鎖壁(54)と、閉鎖壁(54)の下端から前足場板(11)の下壁に沿ってのびる位置決め壁(55)とよりなる。
【００２９】
左右支柱(3)と天板(5)とを連結している連結金具(7)は、支柱(3)の外側壁の上端部にリベットで固定された支柱への取付部(61)と、支柱への取付部(61)に連なり支柱(3)の上端面を覆うカバー部(62)と、カバー部(62)に連なり天板(5)の側部に段付ボルト(64)およびナット(65)により回動可能に取り付けられている天板への取付部(63)とよりなる。図８に示すように、連結金具(7)の天板への取付部(63)および天板(5)の前足場板(11)にあけられたボルト軸部挿通孔に左右方向の軸を有する段付ボルト(64)の段付軸部(64a)がゆるく挿通されている。
【００３０】
図７に示すように、天板受け桟(6)の凹円弧状上面(6a)は、半径が前カバー部(16)の摺動壁(51)の半径にほぼ等しくかつ略１／４円の円弧を有しており、作業台使用状態では、前カバー部(16)の摺動壁(51)の下面部分が天板受け桟(6)に置かれている。したがって、天板(5)の前足場板(11)は、段付ボルト(64)の軸を中心として図６の時計方向に回動することができ、支柱(3)に対する天板(5)の回動が可能とされている。
【００３１】
各斜め部材(8)は、Ｖ字状に二つ折り可能に連結された長尺部(21)および短尺部(22)よりなる。両斜め部材(8)の長尺部(21)の中間部同士がＸ字状にかつ互いに回動可能に連結ピン(23)により連結されている。
【００３２】
下から３段目の踏桟のほぼ中央には、各斜め部材(8)の短尺部(22)の下端部を回動可能に支持する下支持金具(19)が取り付けられ、天板受け桟(6)の対応する位置には、各斜め部材(8)の長尺部(21)の上端部を回動可能に支持する上支持金具(20)が取り付けられている。
【００３３】
各斜め部材(8)の長尺部(21)は、長尺の角パイプ(24)と、角パイプ(24)の上端部に嵌め合わせられた端部連結金具(25)と、角パイプ(24)の下端部に嵌め合わせられた突き合わせ部連結金具(26)とよりなり、同様に、短尺部(22)は、短尺の角パイプ(27)と、角パイプ(27)の上端部に嵌め合わせられかつ長尺部(21)の突き合わせ部連結金具(26)と連結ピン(30)により回動可能に連結された突き合わせ部連結金具(28)と、角パイプ(27)の下端部に嵌め合わせられた端部連結金具(29)とよりなる。
【００３４】
長尺部(21)の突き合わせ部連結金具(26)および短尺部(22)の突き合わせ部連結金具(28)は、いずれも角筒状本体部分を有し、その本体部分同士が互いに突き合わされかつ逆Ｖ字状となる方向にのみ二つ折り可能なように連結されている。すなわち、長尺部(21)の突き合わせ部連結金具(26)に、本体部分の内側壁から上方にのびる耳部(26a)が設けられ、短尺部(22)の突き合わせ部連結金具(28)に、本体部分の外側壁から上方にのびる耳部(28a)が対向状に設けられ、これらの耳部(26a)(28a)同士が突き合わせ面の上縁に軸線があるピン(30)で互いに回動可能に連結されている。
【００３５】
長尺部(21)および短尺部(22)の端部金具(25)(29)は、左右方向にのびる押出型材製であり、その端部に円筒部(25a)(29a)が形成されている。
【００３６】
天板受け桟(6)に設けられている上支持金具(20)は、天板受け桟(6)に下から嵌め合わされているコ字状の取付部(71)と、取付部(71)の内側壁に内方突出状に設けられた左右の対向壁よりなる支持部(72)とよりなる。取付部(71)は、取付部(71)および天板受け桟(6)を貫通するボルト(73)にナットが締め付けられることによって、天板受け桟(6)に固定されている。そして、各斜め部材(8)の長尺部(21)の端部金具(25)の円筒部(25a)に、上支持金具(20)の支持部(72)の対向壁を貫通するボルト(74)がゆるく挿通されることにより、斜め部材(8)の上端部が天板受け桟(6)に対して回動可能とされている。
【００３７】
また、踏桟(4)に設けられている下支持金具(19)は、踏桟(4)に下から嵌め合わされているコ字状の取付部(75)と、取付部(75)の下壁に下方突出状に設けられた左右の対向壁よりなる支持部(76)とよりなる。取付部(75)は、取付部(75)および踏桟(4)を貫通するボルト(77)にナットが締め付けられることによって、踏桟(4)に固定されている。そして、各斜め部材(8)の短尺部(22)の端部金具(29)の円筒部(29a)に、下支持金具(19)の支持部(76)の対向壁を貫通するボルト(78)がゆるく挿通されることにより、斜め部材(8)の下端部が踏桟(4)に対して回動可能とされている。
【００３８】
収納金具(9)は、図１０および図１１に示すように、開口を前後方向外向きに向けた略コ字状の金具で、その底壁の上縁および下縁に水平突出状の係合爪(9a)(9b)が設けられている。収納金具(9)は、すべて同じ形状のものが使用されており、係合爪(9a)(9b)は、図１０に示すように、前脚(1)の踏桟(4)に固定されているものでは、その底壁の上縁右半部および下縁左半部に位置し、後脚(2)の踏桟(4)に固定されているものでは、その底壁の上縁左半部および下縁右半部に位置している。したがって、作業台を折り畳んだ状態では、図１１に示すように、上側の係合爪(9a)同士および下側の係合爪(9b)同士がそれぞれ摺り合わせ状に交差し、これにより、前後脚(1)(2)同士が左右にずれることが防止される。また、この折畳み状態において、収納金具(9)同士の突き合わせ面は、支柱(3)の長さ方向と平行になされている。したがって、図３に示す折畳み状態において、支柱(3)同士の間に斜め部材(8)が収まるための間隔が保持されるとともに、運搬・保管時の横ずれが防止される。
【００３９】
上記の作業台は、使用状態では、天板(5)の前足場板(11)と後足場板(12)とが突き合わされ、斜め部材(8)の長尺部(21)と短尺部(22)とが突き合わされている。そして、天板(5)は、図５に示すように、前足場板(11)と後足場板(12)との突き合わ面の下縁部分を回動中心として逆Ｖ字状に折畳みは可能であるが、Ｖ字状への折畳みは不可能とされており、天板(5)にかかる荷重が天板(5)、前後脚(1)(2)および斜め部材(8)によってしっかりと受け止められる。前後脚(1)(2)同士が広がろうとする力は、斜め部材(8)を逆Ｖ字状に折り畳もうとする方向に働くことから、斜め部材(8)は、前後脚(1)(2)が互いに開こうとするのを阻止する開き止め機能を果たしている。
【００４０】
この作業台は、次のようにして折り畳まれる。以下の説明において、ＡおよびＣは、斜め部材(8)の上端部と天板受け桟(6)との連結中心（ボルト(74)の軸線）を、ＢおよびＤは、斜め部材(8)の下端部と踏桟(4)との連結中心（ボルト(78)の軸線）を、ＥおよびＦは、斜め部材の長尺部(21)と短尺部(22)との連結中心（ピン(30)の軸線）をそれぞれ示している。
【００４１】
天板(5)は上述のように逆Ｖ字状に二つ折り可能であるから、まず、図１２に実線で示すように、天板(5)を逆Ｖ字状に折り畳む。各斜め部材(8)は、長尺部(21)と短尺部(22)との突き合わせ面の上縁部分を回動中心としてＶ字状に二つ折り可能とされているので（図９参照）、Ｖ字状に折り畳まれていく。このときの前後の脚(1)(2)は、まず、図１２の鎖線から実線（互いに広がる方向）に移動する。すなわち、斜め部材(8)の長尺部(21)同士の連結中心（連結ピン(23)の軸線）を基準として、ＡおよびＣは、互いに近づきかつ上方に移動し、ＢおよびＤは、互いに離れかつ上方に移動し、ＥおよびＦは、互いに近づきかつ下方に移動する。図１２の状態よりさらに天板(5)を折り畳んでいくと、前後の脚(1)(2)同士は互いに近づき、最終的には、図３に示すように、短尺部(22)は長尺部(21)に対して１８０°回動し、短尺部(22)は、下から３段目の踏桟の下方で支柱(3)と平行な位置に収められ、長尺部(21)は、その下端部が短尺部(22)に重なるとともに、両斜め部材(8)の長尺部(21)同士が左右に重ね合わせられて前後脚(1)(2)の間に収められる。なお、踏桟(4)の斜め部材(8)と干渉する部分には、切欠き(4a)が設けられている（図１および図９参照）。
【００４２】
上記において、図３に示すようにコンパクトに折り畳まれる条件として、各斜め部材(8)の上端部回動中心ＡおよびＣから連結部中心ＦおよびＥまでの距離（線分ＡＦおよび線分ＡＥの長さであり、長尺部(21)の長さに相当している）と各斜め部材(8)の下端部回動中心ＤおよびＢから連結部中心ＦおよびＥまでの距離（線分ＤＦおよび線分ＢＥの長さであり、短尺部(22)の長さに相当している）との差が、一方の斜め部材(8)の上端部回動中心ＡおよびＣから他方の斜め部材(8)の下端部回動中心ＢおよびＤまでの距離（線分ＡＢおよび線分ＣＤの長さであり、斜め部材(8)全体の支柱(3)に沿った長さに相当している）とが実質的に等しくなされている。すなわち、線分ＡＢ＝線分ＣＤ≒線分ＣＥ−線分ＢＥ＝線分ＡＦ−線分ＤＦとなされている。ここで、点Ａおよび点Ｂは、折畳み状態の対称中心面近くに位置させられ、点Ｅおよび点Ｆは、これより若干外側の前支柱の後面および後支柱の前面にそれぞれ位置させられ、また、点Ｂおよび点Ｅは、これよりさらに外側の支柱に重なるところに位置させられている。上記の「実質的に等しい」は、図３において、点Ａ，Ｂ，Ｃ，Ｄ，Ｅ，Ｆの折畳み時中心面からの距離が同じでないことを考慮して、前後の脚(1)(2)の間に斜め部材(8)がちょうど収まるように、斜め部材(8)の長尺部(21)および短尺部(22)の寸法が微調整されることを意味している。
【００４３】
このような条件が確保されることにより、折畳み初期段階で各斜め部材の下端部回動中心が互いに離れる方向に移動するようになっており、天板をある程度二つ折りにしない限り折り作業台全体が折り畳まれることはなく、使用中のロックが果たされている。したがって、例えば使用状態の作業台を横にして支柱を持って運搬するときであっても、作業台が自重で不用意に閉じてしまうようなことはない。
【図面の簡単な説明】
【図１】この発明による作業台を示す斜視図である。
【図２】この発明による作業台の使用状態の側面図である。
【図３】この発明による作業台の格納状態の側面図である。
【図４】二つ折れ天板の要部を示す拡大斜視図である。
【図５】天板が二つ折れに畳まれる途中状態を示す拡大断面図である。
【図６】天板と支柱との結合部分を示す拡大斜視図である。
【図７】図６のVII-VII線に沿う断面図である。
【図８】図６のVIII-VIII線に沿う断面図である。
【図９】斜め部材の詳細な構成を示す拡大斜視図である。
【図１０】収納金具の詳細な構成を示す拡大斜視図である。
【図１１】同拡大断面図である。
【図１２】この発明による作業台の折畳み途中の状態を示す側面図である。
【符号の説明】
(1)   前脚
(2)   後脚
(3)   左右支柱
(4)   踏桟
(5)   天板
(6)   天板受け桟
(6a)  円弧状上面
(7)   連結金具
(8)   斜め部材
(9)   収納金具
(21)  長尺部
(22)  短尺部
(61)  支柱への取付部
(62)  カバー部
(63)  天板への取付部
【図１】
0003581962.tif 000002
【図２】
0003581962.tif 000003
【図３】
0003581962.tif 000004
【図４】
0003581962.tif 000005
【図５】
0003581962.tif 000006
【図６】
0003581962.tif 000007
【図７】
0003581962.tif 000008
【図８】
0003581962.tif 000009
【図９】
0003581962.tif 000010
【図１０】
0003581962.tif 000011
【図１１】
0003581962.tif 000012
【図１２】
0003581962.tif 000013